(57)【特許請求の範囲】
【請求項１】
防水パンの外周に一段低く落とし込み部が形成され、該落とし込み部に載置されたスペーサー上に壁パネルが立設される構造において、
前記スペーサーは、裏面が鋼板部材で表面が樹脂部材の二層構造となっており、
前記鋼板部材は、垂片の下端に、水平に折り曲げて前記防水パンの落とし込み部上に載せられる下片が形成され、垂片の上端には、下片と平行状に水平に延びる上片が形成され、上片の外端側で上方へ立ち上がる差込片が形成されている
ことを特徴とする防水パンへの壁パネルの立設構造。
【請求項２】
前記スペーサーの樹脂部材は、前記鋼板部材のうち垂片と上片と差込片に当接する片を備えていることを特徴とする請求項１に記載の防水パンへの壁パネルの立設構造。
【発明の詳細な説明】
【技術分野】
【０００１】
本発明は、防水パンの外周に壁パネルを立設する立設構造に関するものである。
【背景技術】
【０００２】
従来、防水パンの外周に一段低い落とし込み部が形成されて、この落とし込み部にスペーサーが載置され、スペーサー上に壁パネルが立設される構造が存在するが、従来はスペーサーは樹脂製のもので構成されており、樹脂製のスペーサーは、壁パネルを建て付けるためのポストをネジで固定する際にネジが利きにくく、また、樹脂は膨らんで変形しやすく、ポストが建てにくくなるという問題点があった。
そのような問題点を解決するための構造として、例えば特許文献１に開示されているように、壁パネルが立設される壁載置用部材を金属製とし、その外側にパッキンを設けた構造のものがある。
【特許文献１】特開２００３−９７０６８号公報
【発明の開示】
【発明が解決しようとする課題】
【０００３】
上記特許文献１に開示されている構造では、壁載置用部材は金属製であるため、変形しにくく、ネジが利きやすいものであるが、特許文献１に開示されている構造では、金属部分に水が回りやすく、水により錆び等が発生して、金属に腐食が生じ、また、腐食に伴い錆び水が生じてしまうという問題点があった。
【課題を解決するための手段】
【０００４】
本発明は上記従来の問題点に鑑み案出したものであって、変形することなく、ネジが利きやすく、しかも錆び等が生ずることのない防水パンへの壁パネルの立設構造を提供せんとするものであり、その請求項１は、防水パンの外周に一段低く落とし込み部が形成され、該落とし込み部に載置されたスペーサー上に壁パネルが立設される構造において、
前記スペーサーは、裏面が鋼板部材で表面が樹脂部材の二層構造となっており、
前記鋼板部材は、垂片の下端に、水平に折り曲げて前記防水パンの落とし込み部上に載せられる下片が形成され、垂片の上端には、下片と平行状に水平に延びる上片が形成され、上片の外端側で上方へ立ち上がる差込片が形成されていることである。
【発明の効果】
【０００５】
本発明は、防水パンの外周に一段低く落とし込み部が形成され、該落とし込み部に載置されたスペーサー上に壁パネルが立設される構造において、前記スペーサーは、裏面が鋼板部材で表面が樹脂部材の二層構造となっており、前記鋼板部材は、垂片の下端に、水平に折り曲げて前記防水パンの落とし込み部上に載せられる下片が形成され、垂片の上端には、下片と平行状に水平に延びる上片が形成され、上片の外端側で上方へ立ち上がる差込片が形成されていることにより、スペーサーは裏面が鋼板部材であるため、この鋼板部材により強度が確保されて、曲がったり変形したりすることがなく、壁パネルを建て付けるためのポストをネジで固定する際に、ネジが利きやすいものとなる。
また、鋼板部材の表面は樹脂部材であるため、この樹脂部材の部分に水が付いても裏側の鋼板部材には水が回ることがなく、鋼板部材が錆びることもなく、鋼板部材の腐食が防がれて、錆び水等の発生もないものとなる。
また、本発明の防水パンへの壁パネルの立設構造において、前記スペーサーの樹脂部材は、前記鋼板部材のうち垂片と上片と差込片に当接する片を備えているものとすることもできる。
【実施例】
【０００６】
以下、本発明の実施例を図面に基づいて説明する。
図１は、防水パン１の平面概略構成図であり、防水パン１には、堤防部４で区切られて、洗い場面２と、浴槽を設置する浴槽設置面３が形成されており、洗い場面２の堤防部４側には、洗い場排水口２ａが形成されている。
【０００７】
洗い場面２の外周には、一段低く落とし込み部６が形成されており、落とし込み部６の内側には、上方へ突出した突条５が形成されたものとなっている。
この落とし込み部６上には、スペーサーＳが載せられ、スペーサーＳ上に壁パネル１１が立設されるものであり、防水パンとスペーサーの分解斜視図は図２に示し、壁パネルの立設状態の縦断面図は図３に示す。
【０００８】
防水パン１の洗い場面２の外周側には、上方へ一体状に立ち上げて突条５が形成され、突条５から下方に垂下状に垂下片６ａが一体形成され、垂下片６ａの下端側で外側へ水平に延びて水平支持片６ｂが形成され、水平支持片６ｂの外端側で立ち上げて立上片６ｃが一体形成されており、この垂下片６ａと水平支持片６ｂと立上片６ｃで落とし込み部６が形成されている。
【０００９】
この落とし込み部６上に載置されるスペーサーＳは、鋼板部材７と樹脂部材８で構成されており、鋼板部材７と樹脂部材８は別体で形成されて二層状に組み合わせて使用されるものである。
鋼板部材７は０．８mm〜１．６mm程度の厚みを有する鋼板を曲げ加工して形成されたものであり、主として亜鉛メッキ鋼板または塗装鋼板が用いられている。
【００１０】
この鋼板部材７は、垂片７ａの下端に、水平に折り曲げて下片７ｂが形成されており、この下片７ｂが図３に示すように防水パンの立上片６ｃ上に載せられるものである。
また、垂片７ａの上端には、下片７ｂと平行状に水平に延びる上片７ｃが一体形成され、上片７ｃの外端側で上方へ立ち上がる差込片７ｄが一体形成されている。
【００１１】
また、樹脂部材８は、壁パネル１１が載置される略水平な壁載置片８ａの内端側から垂下状に垂片８ｂが一体形成され、壁載置片８ａの外端側で上方へ立ち上げて立上片８ｃが一体形成され、立上片８ｃの上端で外側へ湾曲状に曲がる曲がり部８ｄが形成されて、曲がり部８ｄの外端で下方側へ垂下状に垂下片８ｅが一体形成されたものである。
【００１２】
この樹脂部材８の立上片８ｃと垂下片８ｅ間の隙間内に、下方より鋼板部材７の差込片７ｄを差し込んで、鋼板部材７の上片７ｃを樹脂部材８の壁載置片８ａの裏側に当接させ、鋼板部材７の垂片７ａを樹脂部材８の垂片８ｂの外側に当接させて、鋼板部材７と樹脂部材８を組み合わせて二層構造にして、図３のように、防水パンの落とし込み部６に載置することができ、この状態では、鋼板部材７の下片７ｂが防水パンの立上片６ｃ上に載り、樹脂部材８の垂片８ｂが防水パンの垂下片６ａの外側に当接状となる。
【００１３】
なお、鋼板部材７の垂片７ａに孔Ｈを形成させておき、この孔Ｈ内に外側より図示しないビスを挿入させて、ビスを樹脂部材８の垂片８ｂから防水パンの垂下片６ａにねじ込み締め付けて、防水パン１の落とし込み部６にスペーサーＳを固定することができるものである。
【００１４】
なお、樹脂部材８の壁載置片８ａ上に壁パネル１１を立設させるに際し、一対の壁パネル１１，１１を連結させるためにポスト９を図４のように壁載置片８ａ上の所定位置に固定させる必要があり、このポスト９を建て付けるに際し、ポスト９の背板部９ａに室内側からネジ１０を締め込んでゆくと、ネジ１０は樹脂部材８の立上片８ｃから鋼板部材７の差込片７ｄにねじ込まれてゆき、ネジ１０を鋼板部材７に締め付けることで強固にポスト９を固定状に立設することができ、その後に、ポスト９に沿わせて壁パネル１１を壁載置片８ａ上に良好に立設してゆくことができるものである。
【００１５】
なお、壁パネル１１を立設させた後に、壁パネル１１の下端の室内側と防水パン１の突条５と樹脂部材８の壁載置片８ａの内端側の重なりにより生じる隙間部分にシリコンＣを充填して、防水処理することができるものである。
シリコンＣにより防水処理が成された状態では、洗い場面２側からの水が鋼板部材７に回り込むことはないために、鋼板部材７に水が侵入して錆びが生ずることはなく、鋼板部材７が錆びることなくその強度を維持することができ、また、錆び水等が生ずることもない。
【００１６】
なお、本例では、スペーサーＳは、鋼板部材７と樹脂部材８の二層構造となっているため、壁載置片８ａの部分等が変形することがなく、また、この部分が上方へ熱等で膨らむようなこともなく、ポスト９を所定高さ位置に正確に設置することができるものとなる。
さらに、樹脂部材８と鋼板部材７を別々に成形して組み付けるものであり、それぞれを単独で成形できるために、成形が容易で、表面の形状を変えるなどの細工が可能なものとなる。
【図面の簡単な説明】
【００１７】
【図１】防水パンの平面概略構成図である。
【図２】防水パンとスペーサーの構成部材の分解斜視図である。
【図３】防水パンの落とし込み部にスペーサーを載せ、スペーサー上に壁パネルを立設した状態の縦断面構成図である。
【図４】壁パネルを連結するためのポストの立設状態の要部斜視構成図である。
【符号の説明】
【００１８】
１  防水パン
２  洗い場面
５  突条
６  落とし込み部
６ａ  垂下片
６ｂ  水平支持片
６ｃ  立上片
７  鋼板部材
７ａ  垂片
７ｂ  下片
７ｃ  上片
７ｄ  差込片
８  樹脂部材
８ａ  壁載置片
８ｂ  垂片
８ｃ  立上片８ｃ
８ｄ  曲がり部
８ｅ  垂下片
９  ポスト
１０  ネジ
１１  壁パネル
【図１】
0004999580.tif 000002
【図２】
0004999580.tif 000003
【図３】
0004999580.tif 000004
【図４】
0004999580.tif 000005